(57)【要約】      （修正有）【課題】非常に広い範囲の回転速度の変化に対応可能なブラシレス直流モーターの回転速度制御システムを提供する。【解決手段】ブラシレス直流モーターの回転速度制御システムはブラシレス直流モーター２０、少なくとも１個のホールセンサー部品１１、インバーター回路１２、ゲート駆動回路１３、マイクロコントローラー１４を備える。２個の固定子のコイル回路を交互に駆動する方式を通して、低速運転時に高トルクを出力し、及び任意の固定子のコイル回路を駆動する方式を通して、高速運転時に低トルクを出力できる回転速度制御効果を達成する。これにより、高出力の電源を使用しなくとも、モーターの運転を起動することができ、しかもモーターの運転が設定した回転速度に達すると、任意の固定子のコイル回路を駆動する方式の運転に切り換えられる。【選択図】図１
0003196982.tif 000002
【実用新案登録請求の範囲】
【請求項１】
ブラシレス直流モーターの回転速度制御システムは、少なくともブラシレス直流モーター、インバーター回路、ゲート駆動回路、マイクロコントローラーを備え、
前記ブラシレス直流モーターには、２個の固定子、１個のローターを設置し、前記２個の固定子は、相同の軸心に沿って配列し設置され、前記各固定子は、円環状を備える本体を備え、前記本体上には、本体中心へと延伸する固定子歯を設置し、前記各固定子歯末端には、チップを設置し、前記各固定子歯上には、所定のゲート数のコイルを巻いて設置し、しかも前記２個の固定子のチップは、相互に交差し取り囲んで、円孔状構造形態を呈し、前記ローターは、２個の固定子の円孔状構造形態内に相対して設置され、前記ローターは、シャフト上に、複数の永久磁石を取り囲んで設置し、しかも全ての永久磁石は、シャフトの外周において、Ｎ極／Ｓ極が交差して配置する方式で配列して設置され、
前記インバーター回路は、ブラシレス直流モーターの２個の固定子と直流電源との間に電気的に連接し、
前記ゲート駆動回路は、前記マイクロコントローラーと前記インバーター回路との電気的連接を構成し、前記マイクロコントローラーにより、外部の回転速度制御信号に連接することを特徴とするブラシレス直流モーターの回転速度制御システム。
【請求項２】
前記ブラシレス直流モーターの回転速度制御システムは、ブラシレス直流モーターのローター周辺に、少なくとも１個のホールセンサー部品を設置し、
前記ローターの永久磁石位置の変化に応じて、対応する電流信号を発生することを特徴とする請求項１に記載のブラシレス直流モーターの回転速度制御システム。
【請求項３】
前記インバーター回路は、直列または並列接続方式を採用し、電気的に連接することを特徴とする請求項１に記載のブラシレス直流モーターの回転速度制御システム。
【請求項４】
前記隣接するチップとの間隙の範囲は、２ｍｍ〜５ｍｍであることを特徴とする請求項１に記載のブラシレス直流モーターの回転速度制御システム。
【請求項５】
前記各固定子歯の隣接するコイルとの間隔(１８０度/ｍ)の電気角を有する。ｍは固定子の個数であることを特徴とする請求項１に記載のブラシレス直流モーターの回転速度制御システム。
【請求項６】
前記ブラシレス直流モーターの回転速度制御システムにおいて、前記ブラシレス直流モーターのローター周辺には、少なくとも１個のホールセンサー部品を設置し、前記マイクロコントローラーと電気的に連接し、
前記ホールセンサー部品により、前記ローターの回転速度を探知することを特徴とする請求項２に記載のブラシレス直流モーターの回転速度制御システム。
【請求項７】
前記ブラシレス直流モーターの回転速度制御システムにおいて、前記ブラシレス直流モーターのローター周辺には、少なくとも２個のホールセンサー部品を設置し、前記マイクロコントローラーと電気的に連接し、
内１個のホールセンサー部品により、前記ローターの回転速度を探知し、別の１個のホールセンサー部品により、電流交換のタイミングを探知することを特徴とする請求項２に記載のブラシレス直流モーターの回転速度制御システム。
【請求項８】
前記ブラシレス直流モーターの回転速度制御システムにおいて、前記ブラシレス直流モーターのローター周辺には、少なくとも３個のホールセンサー部品を設置し、前記マイクロコントローラーと電気的に連接し、
内１個のホールセンサー部品により、前記ローターの回転速度を探知し、別の１個のホールセンサー部品により、電流交換のタイミングを探知し、さらに別の1個のホールセンサー部品により、前記ローターの回転方向を探知して判断することを特徴とする請求項２に記載のブラシレス直流モーターの回転速度制御システム。
【請求項９】
前記マイクロコントローラーにより、外部回転速度制御信号、及び前記少なくとも１個のホールセンサー部品の電流信号に連接し、しかも受信した回転速度制御信号、及び前記ホールセンサー部品が伝送する信号に基づき、前記ゲート極を制御して、回路を駆動し、２個の固定子のコイル回路を交互に駆動することを特徴とする請求項２に記載のブラシレス直流モーターの回転速度制御システム。
【請求項１０】
前記マイクロコントローラー１４により、外部回転速度制御信号、及び前記少なくとも１個のホールセンサー部品の電流信号に連接し、しかも受信した回転速度制御信号、及び前記ホールセンサー部品が伝送する信号に基づき、任意の固定子のコイル回路を駆動し、これにより通電した固定子と対応するローターとは、相互作用電磁場を形成することを特徴とする請求項２に記載のブラシレス直流モーターの回転速度制御システム。
【請求項１１】
前記各固定子には、８個の固定子歯をそれぞれ設置し、前記ローターには、８個の永久磁石を設置することを特徴とする請求項１〜１０の任意の１項に記載のブラシレス直流モーターの回転速度制御システム。
【請求項１２】
前記各固定子には、偶数個の固定子歯をそれぞれ設置し、
前記ローターには、偶数個の永久磁石を設置することを特徴とする請求項１〜１０の任意の１項に記載のブラシレス直流モーターの回転速度制御システム。
【請求項１３】
前記各固定子には、偶数個の固定子歯をそれぞれ設置し、
前記ローターには、前記固定子に対応する偶数個の永久磁石を設置することを特徴とする請求項１〜１０の任意の１項に記載のブラシレス直流モーターの回転速度制御システム。
【請求項１４】
前記各固定子は、相同の構造形態の複数のシリコンスチール片をそれぞれ重ねて構成することを特徴とする請求項１〜１０の任意の１項に記載のブラシレス直流モーターの回転速度制御システム。
【請求項１５】
前記各永久磁石の軸方向の長さは、前記２個の固定子のチップの設置範囲を含むことを特徴とする請求項１〜１０の任意の１項に記載のブラシレス直流モーターの回転速度制御システム。
【考案の詳細な説明】
【技術分野】
【０００１】
本考案は、モーター回転速度の制御技術に関し、低速運転時に高トルクを出力でき、及び高速運転時に低トルクを出力できるブラシレス直流モーターの回転速度制御システムに関する。
【背景技術】
【０００２】
モーター（電動機と別称）は電力を機械エネルギーに転換し、機械を駆動して回転、振動或いは直線運動を行わせるものである。
それは、自動コントロールと電動機器分野に広く運用されている他、日常生活では多くの家電製品に、モーターが運用されている。
そのため、モーターの種類と運用もますます多様化している。
【０００３】
モーターの種類は非常に多く、駆動電流の違いにより、おおよそ直流モーターと交流モーターに分類される。
その基本構造は、固定子(Stator)とローター(Rotor)により構成される。
【０００４】
交流モーターは、構造がシンプルで価格が低廉であるが、かつては変速コントロールが比較的困難であったため、定回転速度或いは多段階変速に主に応用されてきた。
交流モーターは実際の運転時に、その回転速度は、供給される電流の周波数と正比例するため、原則的には、周波数が高くなればなるほど回転速度も速くなる。
インバーターが交流モーターの変速コントロールに応用されるようになり、工業的には既にかなりの期間となることと、近年の大型ＩＣ回路の急速な発展によるパワー電子部品の進歩により、複雑なコントロールが、マイクロプロセッサーを基礎とするソフトウエアにより実現されるようになっている。
【０００５】
一般に直流モーターのローターは、電磁石(エナメル線を巻いて構成)で、固定子は永久磁石である。
永久磁石は磁場を構成し、コイルを巻いた電磁磁石はローターを構成する。
電流の方向を適時に改変することで、ローターは同一方向に持続的に回転する。
【０００６】
例えば、ブラシ直流モーターは、電流が電気ブラシを流れることで、電機子を回転させ、発生した垂直磁場により、ローター上に多数組の線を巻き付け、電気ブラシ(brush)と整流(commutator)の調整を通して、電機子に流入する電流は、ローター磁場をコントロールし、磁場における垂直の方向を保持させられる。
【０００７】
一方、ブラシレス直流モーターは、ブラシ直流モーターの電気ブラシと整流子のメンテナンス問題を解決することができる。
その動作原理の、ブラシ式直流モーターとの最大の差異は、ブラシレス直流モーターは電子式の整流に改変し、ローターと固定子磁場を所定位相差に保持する目的を達成することである。
【０００８】
従来のブラシレス直流モーターの回転速度を調整する際には、電圧可変することにより、達成することができ、これは一見、簡単で容易に感じられる。
しかし、モーターに大きな負荷がかかっている時には、深刻なトルク不足の問題が起きる。
そのため、電力が大きい電源を選択しなければ、モーターを靜止状態から起動して運転させることはできない。
これでは、ブラシレス直流モーターに使用する電源は制限されるばかりか、ブラシレス直流モーターのフルタイム運転過程においてもより多くの電力を消費してしまう。  
【先行技術文献】
【特許文献】
【０００９】
【特許文献１】台湾特許ＴＷＩ３５３７０５
【特許文献２】台湾特許ＴＷＩ４１１１９８
【考案の概要】
【考案が解決しようとする課題】
【００１０】
しかし、上述した考案は使用上に欠点があり、改善する必要がある。その原因は下記の通りである。
【００１１】
従来のブラシレス直流モーターにおいて回転速度を調整する際に、モーターに大きな負荷がかかっている時には、深刻なトルク不足の問題が起きるため、電力が大きい電源を選択しなければ、モーターを靜止状態から起動して運転させることはできない。
これでは、ブラシレス直流モーターに使用する電源は制限されるばかりか、ブラシレス直流モーターのフルタイム運転過程においてもより多くの電力を消費してしまう。
【００１２】
本考案は、上述の問題に鑑みてなされたものであり、その目的は、応用するブラシレス直流モーターの低速運転時に高トルクを出力でき、及び高速運転時に低トルクを出力できるブラシレス直流モーターの回転速度制御システムを提供することにある。
【課題を解決するための手段】
【００１３】
本考案によるブラシレス直流モーターの回転速度制御システムは、少なくともブラシレス直流モーター、インバーター回路、ゲート駆動回路、マイクロコントローラーを備える。
ブラシレス直流モーターには、２個の固定子、１個のローターを設置する。
２個の固定子は、相同の軸心に沿って配列し設置される。
各固定子は、円環状を備える本体を備える。
本体上には、本体中心へと延伸する固定子歯を設置する。
各固定子歯末端には、チップを設置する。
各固定子歯上には、所定のゲート数のコイルを巻いて設置する。
しかも、２個の固定子のチップは、相互に交差し取り囲んで、円孔状構造形態を呈する。
ローターは、２個の固定子の円孔状構造形態内に相対して設置される。
ローターは、シャフト上に、複数の永久磁石を取り囲んで設置する。
しかも、全ての永久磁石は、シャフトの外周において、Ｎ極／Ｓ極が交差して配置する方式で配列して設置される。
【００１４】
インバーター回路は、ブラシレス直流モーターの２個の固定子と直流電源との間に電気的に連接する。
ゲート駆動回路は、マイクロコントローラーとインバーター回路との電気的連接を構成する。
マイクロコントローラーにより、外部の回転速度制御信号に連接する。
【００１５】
上述した技術的特徴を利用し、本考案のブラシレス直流モーターの回転速度制御システムは、使用時には、インバーター回路を通して、２個の固定子と直流電源との電気的連接を構成する。
しかも、マイクロコントローラー及びゲート駆動回路の統合作動に対応し、受信した回転速度制御信号、及びホールセンサー部品が伝送する信号に基づき、２個の固定子のコイル回路を交互に駆動し、或いは任意の固定子のコイル回路を駆動し、通電した固定子とローターに、相互作用電磁場を形成させる。
こうして、ローターは同一方向に持続的に回転する。
これにより、２個の固定子のコイル回路を交互に駆動する方式を通して、低速運転時に高トルクを出力し、及び任意の固定子のコイル回路を駆動する方式を通して、高速運転時に低トルクを出力できる回転速度制御効果を達成する。
上述の技術的特徴に基づき、ブラシレス直流モーターの回転速度制御システムは、ブラシレス直流モーターのローター周辺に、少なくとも１個のホールセンサー部品を設置し、ローターの永久磁石位置の変化に応じて、対応する電流信号を発生する。
上述の技術的特徴に基づき、インバーター回路は、直列または並列接続方式を採用し、電気的に連接する。
上述の技術的特徴に基づき、隣接するチップとの間隙の範囲は、２ｍｍ〜５ｍｍである。
上述の技術的特徴に基づき、各固定子歯の隣接するコイルとの間隔(１８０度/ｍ)の電気角を有する。ｍは固定子の個数である。
上述の技術的特徴に基づき、ブラシレス直流モーターのローター周辺には、少なくとも１個のホールセンサー部品を設置し、マイクロコントローラーと電気的に連接し、ホールセンサー部品により、ローターの回転速度を探知する。
上述の技術的特徴に基づき、ブラシレス直流モーターのローター周辺には、少なくとも２個のホールセンサー部品を設置し、マイクロコントローラーと電気的に連接し、内１個のホールセンサー部品により、ローターの回転速度を探知し、別の１個のホールセンサー部品により、電流交換のタイミングを探知する。
上述の技術的特徴に基づき、ブラシレス直流モーターのローター周辺には、少なくとも３個のホールセンサー部品を設置し、マイクロコントローラーと電気的に連接し、内１個のホールセンサー部品により、ローターの回転速度を探知し、別の１個のホールセンサー部品により、電流交換のタイミングを探知し、別の1個のホールセンサー部品により、ローターの回転方向を探知して判断する。
上述の技術的特徴に基づき、マイクロコントローラーにより、外部回転速度制御信号及び少なくとも１個のホールセンサー部品の電流信号に連接し、しかも受信した回転速度制御信号、及びホールセンサー部品が伝送する信号に基づき、ゲート極を制御して、回路を駆動し、２個の固定子のコイル回路を交互に駆動する。
【００１６】
上述の技術的特徴に基づき、マイクロコントローラーにより、外部回転速度制御信号及び少なくとも１個のホールセンサー部品の電流信号に連接し、しかも受信した回転速度制御信号、及びホールセンサー部品が伝送する信号に基づき、任意の固定子のコイル回路を駆動し、これにより通電した固定子と対応するローターとは、相互作用電磁場を形成する。
各固定子には、８個の固定子歯をそれぞれ設置し、ローターには、８個の永久磁石を設置する。
各固定子には、偶数個の固定子歯をそれぞれ設置し、ローターには、偶数個の永久磁石を設置する。
各固定子には、偶数個の固定子歯をそれぞれ設置し、ローターには、固定子に対応する偶数個の永久磁石を設置する。
各固定子は、複数の相同構造形態のシリコンスチール片を重ねて構成する。
各永久磁石の軸方向の長さは、２個の固定子のチップの設置範囲を含む。
【００１７】
本考案のブラシレス直流モーターの回転速度制御システムは、２個の固定子のコイル回路を交互に駆動する方式を通して、低速運転時に高トルクを出力し、及び任意の固定子のコイル回路を駆動する方式を通して、高速運転時に低トルクを出力でき、高出力の電源を使用しなくとも、モーターの運転を起動することができ、しかもモーターの運転が設定した回転速度に達すると、任意の固定子のコイル回路を駆動する方式の運転に切り換えられ、ブラシレス直流モーター使用電源の制限を低下させられるばかりか、ブラシレス直流モーターのフルタイム運転過程において節電効果を備える。
【図面の簡単な説明】
【００１８】
【図１】本考案のブラシレス直流モーターの回転速度制御システムの構成模式図である。
【図２】本考案のブラシレス直流モーターの外観立体図である。
【図３】本考案のブラシレス直流モーターの構造分解図である。
【図４】本考案のブラシレス直流モーターの構造断面図である。
【図５】本考案のブラシレス直流モーターにおいて、交互に２個の固定子のコイル回路を駆動する方式で運転する時、その固定子とローターの磁性の相互作用関係を示す模式図である。
【図６】本考案のブラシレス直流モーターにおいて、任意の固定子のコイル回路を駆動する方式で運転する時、その固定子とローターの磁性の相互作用関係を示す模式図である。
【考案を実施するための形態】
【００１９】
（一実施形態）
本考案の一実施形態によるブラシレス直流モーターの回転速度制御システムは、低速運転時に高トルクを出力でき、及び高速運転時に低トルクを出力できるブラシレス直流モーターの回転速度制御システムであって、低速運転時に高トルクを出力し、高速運転時に低トルクを出力する回転速度制御効果を達成でき、非常に広い範囲の回転速度の変化に対応可能である。
【００２０】
本考案の一実施形態によるブラシレス直流モーターの回転速度制御システムを以下に図面に基づいて説明する。
本考案のブラシレス直流モーターの回転速度制御システムの構成模式図である図１に示すように、本考案のブラシレス直流モーターの回転速度制御システムは、一ブラシレス直流モーター２０、少なくとも１個のホールセンサー部品１１、インバーター回路１２、ゲート駆動回路１３、マイクロコントローラー１４を備える。
【００２１】
図１〜５に示すように、ブラシレス直流モーター２０には、２個の固定子２１、１個のローター２２を設置する。
２個の固定子２１は、相同の軸心に沿って配列し設置される。
各固定子２１は、円環状を備える本体２１１を備える。
本体２１１上には、本体２１１中心へと延伸する固定子歯２１２を設置する。
各固定子歯２１２末端には、チップ２１３を設置する。
各固定子歯２１３上には、所定のゲート数のコイル２１４を巻いて設置する。
【００２２】
各固定子２１の隣接するチップ２１３との間隙は、２ｍｍ〜５ｍｍで、間隙が２ｍｍより小さければ、巻き線は困難で、５ｍｍより大きければ、無用の磁力を生じ易く、コストも高い。
しかも、２個の固定子２１のチップ２１３は、相互に交差して取り囲み、円孔状の構造形態を呈する。
【００２３】
ローター２２は、２個の固定子２１の円孔状構造形態内に相対して設置される。
ローター２２は、シャフト２２１上に、複数の永久磁石２２２を取り囲んで設置する。
しかも、全ての永久磁石２２２は、シャフト２２１の外周において、Ｎ極／Ｓ極が交差して配置する方式で配列して設置される。
【００２４】
該各固定子歯２１２の隣接するコイル２１４との相互間の間隔(１８０度/ｍ)の電気角を有する。ｍは、固定子の個数である。
ここで、機械角と電気角の関係は、固定子の個数により決まることは疑いの余地を挟まない。
各固定子歯２１２の隣接するコイルとの相互間の間隔(１８０度/ｍ)の電気角を有する。ｍは、固定子の個数である。
よって、電気角の１個の周期は、機械角の１個の周期と対応しない。
本考案の実施形態では、２個の固定子２１を例とし、各固定子２１の固定子歯２１２は８個で、その電気角の１個の周期は、ローター２２の回転角の１/４に相当する。
この時、電気角が一定角度中の感知電圧であろうとも、機械角の異なる位置で検出された感知電圧に変わる。
もし、機械角が異なるなら、固定子２１の個数の機械式構造に基づき、感知電圧中で変化の状況が生じる。
【００２５】
少なくとも１個のホールセンサー部品１１は、ブラシレス直流モーター２０のローター２２周辺に相対して設置される。
これにより、ローター２２の永久磁石２２２の位置の変化に応じて、対応する電流信号を発生する。
本実施形態中では、ブラシレス直流モーター２０のローター２２周辺には、マイクロコントローラー１４と電気的に連接する３個のホールセンサー部品１１を設置する。
１個のホールセンサー部品は、ローターの回転速度を感知し、１個のホールセンサー部品は、電流交換のタイミングを感知し、１個のホールセンサー部品は、ローターの回転方向を感知して判断する。
【００２６】
インバーター回路１２は、ブラシレス直流モーター２０の２個の固定子２１と直流電源との間に電気的に連接する。
インバーター回路１２は、少なくとも４個の電子部品により構成される。
各電子部品は、電気的に連接し、インバーター回路１２を構成する。
本考案実施形態では、電子部品は８個である。
インバーター回路１２は、直列または並列接続方式を採用し、電気的に連接する。
【００２７】
ゲート駆動回路１３は、マイクロコントローラー１４とインバーター回路１２との電気的連接を構成する。
マイクロコントローラー１４により、外部回転速度制御信号及び少なくとも１個のホールセンサー部品１１の電流信号に連接する。
電子部品は、トランジスターである。
【００２８】
図１、２の実施形態に示すように、インバーター回路１２は、８個のトランジスターＱ１〜Ｑ８を備える。
トランジスターＱ１〜Ｑ４は、１個の固定子のコイル回路に連接する。
トランジスターＱ５〜Ｑ８は、別の１個の固定子のコイル回路に連接する。
ゲート駆動回路１３は、トランジスターＱ１〜Ｑ８にそれぞれ連接する。
これにより、トランジスターＱ１〜Ｑ８のオープン或いは遮断をコントロールする。
【００２９】
しかも、受信した回転速度制御信号、及びホールセンサー部品１１がマイクロコントローラー１４にフィードバックした信号に基づき、ゲート駆動回路１３を制御して、信号をインバーター回路１２へと伝送させる。
インバーター回路１２は、複数の電子部品を同時に起動し、対応する電子部品の電磁場を切換え、Ｎ極／Ｓ極交差を形成する。
これにより、２個の固定子２１のコイル回路を同時に起動して交互に駆動し、ゲート駆動回路１３は、トランジスターＱ１〜Ｑ８のオープン或いは遮断をコントロールする。
これにより、２個の固定子２１のコイル回路に交互に通電する。
【００３０】
或いは、受信した回転速度制御信号、及びホールセンサー部品１１がマイクロコントローラー１４にフィードバックした信号に基づき、ゲート駆動回路１３を制御して、信号をインバーター回路１２へと伝送させる。
インバーター回路１２は、いくつかの電子部品だけを駆動し、任意の固定子に影響を及ぼす電子部品に切り換える。
こうして、任意の固定子２１のコイル回路を駆動し、通電した固定子２１と対応するローター２２とは、相互作用電磁場を形成し、ゲート駆動回路１３は、トランジスターＱ１〜Ｑ８のオープン或いは遮断をコントロールする。
これにより、任意の固定子２１のコイル回路は単相通電する。
【００３１】
原則的には、本考案のブラシレス直流モーターの回転速度制御システムは、使用時には、インバーター回路１２を通して、２個の固定子２１と直流電源との電気的連接を構成する。
しかも、マイクロコントローラー１４及びゲート駆動回路１３の統合作動に対応し、受信した回転速度制御信号、及びホールセンサー部品１１が伝送する信号に基づき、２個の固定子２１のコイル回路(図５参照）を交互に駆動し、或いは任意の固定子２１のコイル回路(図６参照）を駆動する方式で、通電した固定子２１とローター２２に、相互作用電磁場を形成させる。
こうして、ローター２２は同一方向に持続的に回転する。
【００３２】
上述実施形態においては、ホールセンサー部品を利用しモーターのローター位置を感知して検出し、他のセンサーを利用して、モーターのローター位置を感知して検出する。
【００３３】
すなわち、本考案のブラシレス直流モーターシステムは、高出力の電源を必要とせず、応用するブラシレス直流モーターを、靜止状態から起動して運転できる。
しかも、設定した回転速度まで運転後、任意の固定子のコイル回路を駆動する方式での運転に切り換えられる。
これにより、ブラシレス直流モーター使用電源の制限を低下させられるばかりか、ブラシレス直流モーターのフルタイム運転過程において節電効果を備える。
【００３４】
さらに、本考案が応用するブラシレス直流モーター２０の実施時には、各固定子２１相同の構造形態の複数のシリコンスチール片を重ねてそれぞれ構成する。
本実施形態中では、各固定子２１には、８個の固定子歯２１２をそれぞれ設置し、ローター２２には、８個の永久磁石２２２を設置する。
しかも、各永久磁石２２２の軸方向の長さは好ましくは、２個の固定子２１のチップ２１３の設置範囲を含む。
【００３５】
また当然、各固定子２１には、偶数個の固定子歯をそれぞれ設置でき、ローター２２には、偶数個の永久磁石２２２を設置できる。
例えば、８個の固定子歯２１２は、４個の永久磁石２２２に対応し、或いは各固定子２１には、偶数個の固定子歯２１２をそれぞれ設置し、ローター２２には、固定子２１に対応する偶数個の永久磁石２２２を設置する。
【００３６】
本考案が応用するブラシレス直流モーターは、具体的実施時には、各固定子の固定子歯の個数及びローターの永久磁石の個数は、実際のサイズい応じて、違った個数を配置して設計することができる。
しかも、適当な駆動回路の対応作動により、各固定子のコイル整流タイミングを効果的にコントロールでき、ブラシレス直流モーター全体の運転効率を簡単に向上させられ、或いは回転速度の変化範囲を拡大することができる。
【００３７】
従来の技術と比較すると、本考案のブラシレス直流モーターの回転速度制御システムは、２個の固定子のコイル回路を交互に駆動する方式を通して、低速運転時に高トルクを出力し、及び任意の固定子のコイル回路を駆動する方式を通して、高速運転時に低トルクを出力できる。
その回転速度制御の方法は、高出力の電源を使用しなくとも、モーターの運転を起動することができる。
【００３８】
しかも、モーターの運転が設定した回転速度に到達後は、任意の固定子のコイル回路を駆動する方式での運転に切り換えられ、これにより、ブラシレス直流モーター使用電源の制限を低下させられるばかりか、ブラシレス直流モーターのフルタイム運転過程において節電効果を備える。
こうして、ブラシレスモーター制御システムは、低速運転時に高トルクを出力し、高速運転時に低トルクを出力する回転速度制御効果を達成でき、非常に広い範囲の回転速度の変化に対応可能である。
【００３９】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００４０】
Ｑ１〜Ｑ８  トランジスター
１１  ホールセンサー部品
１２  インバーター回路
１３  ゲート駆動回路
１４  マイクロコントローラー
２０  ブラシレス直流モーター
２１  固定子
２１１  本体
２１２  固定子歯
２１３  チップ
２１４  コイル
２２  ローター
２２１  シャフト
２２２  永久磁石
【図１】
0003196982.tif 000003
【図２】
0003196982.tif 000004
【図３】
0003196982.tif 000005
【図４】
0003196982.tif 000006
【図５】
0003196982.tif 000007
【図６】
0003196982.tif 000008
【手続補正書】
【提出日】平成27年2月12日(2015.2.12)
【手続補正１】
【補正対象書類名】実用新案登録請求の範囲
【補正対象項目名】全文
【補正方法】変更
【補正の内容】
【実用新案登録請求の範囲】
【請求項１】
ブラシレス直流モーターの回転速度制御装置は、少なくともブラシレス直流モーター、インバーター回路、ゲート駆動回路、マイクロコントローラーを備え、
前記ブラシレス直流モーターには、２個の固定子、１個のローターを設置し、前記２個の固定子は、相同の軸心に沿って配列し設置され、前記各固定子は、円環状を備える本体を備え、前記本体上には、本体中心へと延伸する固定子歯を設置し、前記各固定子歯末端には、チップを設置し、前記各固定子歯上には、所定のゲート数のコイルを巻いて設置し、しかも前記２個の固定子のチップは、相互に交差し取り囲んで、円孔状構造形態を呈し、前記ローターは、２個の固定子の円孔状構造形態内に相対して設置され、前記ローターは、シャフト上に、複数の永久磁石を取り囲んで設置し、しかも全ての永久磁石は、シャフトの外周において、Ｎ極／Ｓ極が交差して配置する方式で配列して設置され、
前記インバーター回路は、ブラシレス直流モーターの２個の固定子と直流電源との間に電気的に連接し、
前記ゲート駆動回路は、前記マイクロコントローラーと前記インバーター回路との電気的連接を構成し、前記マイクロコントローラーにより、外部の回転速度制御信号に連接することを特徴とするブラシレス直流モーターの回転速度制御装置。
【請求項２】
前記ブラシレス直流モーターの回転速度制御装置は、ブラシレス直流モーターのローター周辺に、少なくとも１個のホールセンサー部品を設置し、
前記ローターの永久磁石位置の変化に応じて、対応する電流信号を発生することを特徴とする請求項１に記載のブラシレス直流モーターの回転速度制御装置。
【請求項３】
前記インバーター回路は、直列または並列接続方式を採用し、電気的に連接することを特徴とする請求項１に記載のブラシレス直流モーターの回転速度制御装置。
【請求項４】
前記隣接するチップとの間隙の範囲は、２ｍｍ〜５ｍｍであることを特徴とする請求項１に記載のブラシレス直流モーターの回転速度制御装置。
【請求項５】
前記各固定子歯の隣接するコイルとの間隔が１８０度/ｍの電気角を有し、ｍは固定子の個数であることを特徴とする請求項１に記載のブラシレス直流モーターの回転速度制御装置。
【請求項６】
前記ブラシレス直流モーターの回転速度制御装置において、前記ホールセンサー部品を前記マイクロコントローラーと電気的に連接し、
前記ホールセンサー部品により、前記ローターの回転速度を探知することを特徴とする請求項２に記載のブラシレス直流モーターの回転速度制御装置。
【請求項７】
前記ブラシレス直流モーターの回転速度制御装置において、前記ブラシレス直流モーターのローター周辺には、少なくとも２個のホールセンサー部品を設置し、前記マイクロコントローラーと電気的に連接し、
内１個のホールセンサー部品により、前記ローターの回転速度を探知し、別の１個のホールセンサー部品により、電流交換のタイミングを探知することを特徴とする請求項２に記載のブラシレス直流モーターの回転速度制御装置。
【請求項８】
前記ブラシレス直流モーターの回転速度制御装置において、前記ブラシレス直流モーターのローター周辺には、少なくとも３個のホールセンサー部品を設置し、前記マイクロコントローラーと電気的に連接し、
内１個のホールセンサー部品により、前記ローターの回転速度を探知し、別の１個のホールセンサー部品により、電流交換のタイミングを探知し、さらに別の1個のホールセンサー部品により、前記ローターの回転方向を探知して判断することを特徴とする請求項２に記載のブラシレス直流モーターの回転速度制御装置。
【請求項９】
前記マイクロコントローラーにより、外部回転速度制御信号、及び前記少なくとも１個のホールセンサー部品の電流信号に連接され、しかも受信した回転速度制御信号、及び前記ホールセンサー部品が伝送する信号に基づき、前記ゲート駆動回路を制御して２個の固定子のコイル回路を交互に駆動することを特徴とする請求項２に記載のブラシレス直流モーターの回転速度制御装置。
【請求項１０】
前記マイクロコントローラー１４により、外部回転速度制御信号、及び前記少なくとも１個のホールセンサー部品の電流信号に連接し、しかも受信した回転速度制御信号、及び前記ホールセンサー部品が伝送する信号に基づき、任意の固定子のコイル回路を駆動し、これにより通電した固定子と対応するローターとは、相互作用電磁場を形成することを特徴とする請求項２に記載のブラシレス直流モーターの回転速度制御装置。
【請求項１１】
前記各固定子には、８個の固定子歯をそれぞれ設置し、前記ローターには、８個の永久磁石を設置することを特徴とする請求項１〜１０の任意の１項に記載のブラシレス直流モーターの回転速度制御装置。
【請求項１２】
前記各固定子には、偶数個の固定子歯をそれぞれ設置し、
前記ローターには、偶数個の永久磁石を設置することを特徴とする請求項１〜１０の任意の１項に記載のブラシレス直流モーターの回転速度制御装置。
【請求項１３】
前記各固定子には、偶数個の固定子歯をそれぞれ設置し、
前記ローターには、前記固定子に対応する偶数個の永久磁石を設置することを特徴とする請求項１〜１０の任意の１項に記載のブラシレス直流モーターの回転速度制御装置。
【請求項１４】
前記各固定子は、相同の構造形態の複数のシリコンスチール片をそれぞれ重ねて構成することを特徴とする請求項１〜１０の任意の１項に記載のブラシレス直流モーターの回転速度制御装置。
【請求項１５】
前記各永久磁石の軸方向の長さは、前記２個の固定子のチップの設置範囲を含むことを特徴とする請求項１〜１０の任意の１項に記載のブラシレス直流モーターの回転速度制御装置。
【手続補正２】
【補正対象書類名】明細書
【補正対象項目名】全文
【補正方法】変更
【補正の内容】
【考案の詳細な説明】
【技術分野】
【０００１】
本考案は、モーター回転速度の制御技術に関し、低速運転時に高トルクを出力でき、及び高速運転時に低トルクを出力できるブラシレス直流モーターの回転速度制御装置に関する。
【背景技術】
【０００２】
モーター（電動機と別称）は電力を機械エネルギーに転換し、機械を駆動して回転、振動或いは直線運動を行わせるものである。
それは、自動コントロールと電動機器分野に広く運用されている他、日常生活では多くの家電製品に、モーターが運用されている。
そのため、モーターの種類と運用もますます多様化している。
【０００３】
モーターの種類は非常に多く、駆動電流の違いにより、おおよそ直流モーターと交流モーターに分類される。
その基本構造は、固定子(Stator)とローター(Rotor)により構成される。
【０００４】
交流モーターは、構造がシンプルで価格が低廉であるが、かつては変速コントロールが比較的困難であったため、定回転速度或いは多段階変速に主に応用されてきた。
交流モーターは実際の運転時に、その回転速度は、供給される電流の周波数と正比例するため、原則的には、周波数が高くなればなるほど回転速度も速くなる。
インバーターが交流モーターの変速コントロールに応用されるようになり、工業的には既にかなりの期間となることと、近年の大型ＩＣ回路の急速な発展によるパワー電子部品の進歩により、複雑なコントロールが、マイクロプロセッサーを基礎とするソフトウエアにより実現されるようになっている。
【０００５】
一般に直流モーターのローターは、電磁石(エナメル線を巻いて構成)で、固定子は永久磁石である。
永久磁石は磁場を構成し、コイルを巻いた電磁磁石はローターを構成する。
電流の方向を適時に改変することで、ローターは同一方向に持続的に回転する。
【０００６】
例えば、ブラシ直流モーターは、電流が電気ブラシを流れることで、電機子を回転させ、発生した垂直磁場により、ローター上に多数組の線を巻き付け、電気ブラシ(brush)と整流(commutator)の調整を通して、電機子に流入する電流は、ローター磁場をコントロールし、磁場における垂直の方向を保持させられる。
【０００７】
一方、ブラシレス直流モーターは、ブラシ直流モーターの電気ブラシと整流子のメンテナンス問題を解決することができる。
その動作原理の、ブラシ式直流モーターとの最大の差異は、ブラシレス直流モーターは電子式の整流に改変し、ローターと固定子磁場を所定位相差に保持する目的を達成することである。
【０００８】
従来のブラシレス直流モーターの回転速度を調整する際には、電圧可変することにより、達成することができ、これは一見、簡単で容易に感じられる。
しかし、モーターに大きな負荷がかかっている時には、深刻なトルク不足の問題が起きる。
そのため、電力が大きい電源を選択しなければ、モーターを靜止状態から起動して運転させることはできない。
これでは、ブラシレス直流モーターに使用する電源は制限されるばかりか、ブラシレス直流モーターのフルタイム運転過程においてもより多くの電力を消費してしまう。  
【先行技術文献】
【特許文献】
【０００９】
【特許文献１】台湾特許ＴＷＩ３５３７０５
【特許文献２】台湾特許ＴＷＩ４１１１９８
【考案の概要】
【考案が解決しようとする課題】
【００１０】
しかし、上述した考案は使用上に欠点があり、改善する必要がある。その原因は下記の通りである。
【００１１】
従来のブラシレス直流モーターにおいて回転速度を調整する際に、モーターに大きな負荷がかかっている時には、深刻なトルク不足の問題が起きるため、電力が大きい電源を選択しなければ、モーターを靜止状態から起動して運転させることはできない。
これでは、ブラシレス直流モーターに使用する電源は制限されるばかりか、ブラシレス直流モーターのフルタイム運転過程においてもより多くの電力を消費してしまう。
【００１２】
本考案は、上述の問題に鑑みてなされたものであり、その目的は、応用するブラシレス直流モーターの低速運転時に高トルクを出力でき、及び高速運転時に低トルクを出力できるブラシレス直流モーターの回転速度制御装置を提供することにある。
【課題を解決するための手段】
【００１３】
本考案によるブラシレス直流モーターの回転速度制御装置は、少なくともブラシレス直流モーター、インバーター回路、ゲート駆動回路、マイクロコントローラーを備える。
ブラシレス直流モーターには、２個の固定子、１個のローターを設置する。
２個の固定子は、相同の軸心に沿って配列し設置される。
各固定子は、円環状を備える本体を備える。
本体上には、本体中心へと延伸する固定子歯を設置する。
各固定子歯末端には、チップを設置する。
各固定子歯上には、所定のゲート数のコイルを巻いて設置する。
しかも、２個の固定子のチップは、相互に交差し取り囲んで、円孔状構造形態を呈する。
ローターは、２個の固定子の円孔状構造形態内に相対して設置される。
ローターは、シャフト上に、複数の永久磁石を取り囲んで設置する。
しかも、全ての永久磁石は、シャフトの外周において、Ｎ極／Ｓ極が交差して配置する方式で配列して設置される。
【００１４】
インバーター回路は、ブラシレス直流モーターの２個の固定子と直流電源との間に電気的に連接する。
ゲート駆動回路は、マイクロコントローラーとインバーター回路との電気的連接を構成する。
マイクロコントローラーにより、外部の回転速度制御信号に連接する。
【００１５】
上述した技術的特徴を利用し、本考案のブラシレス直流モーターの回転速度制御装置は、使用時には、インバーター回路を通して、２個の固定子と直流電源との電気的連接を構成する。
しかも、マイクロコントローラー及びゲート駆動回路の統合作動に対応し、受信した回転速度制御信号、及びホールセンサー部品が伝送する信号に基づき、２個の固定子のコイル回路を交互に駆動し、或いは任意の固定子のコイル回路を駆動し、通電した固定子とローターに、相互作用電磁場を形成させる。
こうして、ローターは同一方向に持続的に回転する。
これにより、２個の固定子のコイル回路を交互に駆動する方式を通して、低速運転時に高トルクを出力し、及び任意の固定子のコイル回路を駆動する方式を通して、高速運転時に低トルクを出力できる回転速度制御効果を達成する。
上述の技術的特徴に基づき、ブラシレス直流モーターの回転速度制御装置は、ブラシレス直流モーターのローター周辺に、少なくとも１個のホールセンサー部品を設置し、ローターの永久磁石位置の変化に応じて、対応する電流信号を発生する。
上述の技術的特徴に基づき、インバーター回路は、直列または並列接続方式を採用し、電気的に連接する。
上述の技術的特徴に基づき、隣接するチップとの間隙の範囲は、２ｍｍ〜５ｍｍである。
上述の技術的特徴に基づき、各固定子歯の隣接するコイルとの間隔(１８０度/ｍ)の電気角を有する。ｍは固定子の個数である。
上述の技術的特徴に基づき、ブラシレス直流モーターのローター周辺には、少なくとも１個のホールセンサー部品を設置し、マイクロコントローラーと電気的に連接し、ホールセンサー部品により、ローターの回転速度を探知する。
上述の技術的特徴に基づき、ブラシレス直流モーターのローター周辺には、少なくとも２個のホールセンサー部品を設置し、マイクロコントローラーと電気的に連接し、内１個のホールセンサー部品により、ローターの回転速度を探知し、別の１個のホールセンサー部品により、電流交換のタイミングを探知する。
上述の技術的特徴に基づき、ブラシレス直流モーターのローター周辺には、少なくとも３個のホールセンサー部品を設置し、マイクロコントローラーと電気的に連接し、内１個のホールセンサー部品により、ローターの回転速度を探知し、別の１個のホールセンサー部品により、電流交換のタイミングを探知し、別の1個のホールセンサー部品により、ローターの回転方向を探知して判断する。
上述の技術的特徴に基づき、マイクロコントローラーにより、外部回転速度制御信号及び少なくとも１個のホールセンサー部品の電流信号に連接し、しかも受信した回転速度制御信号、及びホールセンサー部品が伝送する信号に基づき、ゲート駆動回路を制御して、２個の固定子のコイル回路を交互に駆動する。
【００１６】
上述の技術的特徴に基づき、マイクロコントローラーにより、外部回転速度制御信号及び少なくとも１個のホールセンサー部品の電流信号に連接し、しかも受信した回転速度制御信号、及びホールセンサー部品が伝送する信号に基づき、任意の固定子のコイル回路を駆動し、これにより通電した固定子と対応するローターとは、相互作用電磁場を形成する。
各固定子には、８個の固定子歯をそれぞれ設置し、ローターには、８個の永久磁石を設置する。
各固定子には、偶数個の固定子歯をそれぞれ設置し、ローターには、偶数個の永久磁石を設置する。
各固定子には、偶数個の固定子歯をそれぞれ設置し、ローターには、固定子に対応する偶数個の永久磁石を設置する。
各固定子は、複数の相同構造形態のシリコンスチール片を重ねて構成する。
各永久磁石の軸方向の長さは、２個の固定子のチップの設置範囲を含む。
【００１７】
本考案のブラシレス直流モーターの回転速度制御装置は、２個の固定子のコイル回路を交互に駆動する方式を通して、低速運転時に高トルクを出力し、及び任意の固定子のコイル回路を駆動する方式を通して、高速運転時に低トルクを出力でき、高出力の電源を使用しなくとも、モーターの運転を起動することができ、しかもモーターの運転が設定した回転速度に達すると、任意の固定子のコイル回路を駆動する方式の運転に切り換えられ、ブラシレス直流モーター使用電源の制限を低下させられるばかりか、ブラシレス直流モーターのフルタイム運転過程において節電効果を備える。
【図面の簡単な説明】
【００１８】
【図１】本考案のブラシレス直流モーターの回転速度制御装置の構成模式図である。
【図２】本考案のブラシレス直流モーターの外観立体図である。
【図３】本考案のブラシレス直流モーターの構造分解図である。
【図４】本考案のブラシレス直流モーターの構造断面図である。
【図５】本考案のブラシレス直流モーターにおいて、交互に２個の固定子のコイル回路を駆動する方式で運転する時、その固定子とローターの磁性の相互作用関係を示す模式図である。
【図６】本考案のブラシレス直流モーターにおいて、任意の固定子のコイル回路を駆動する方式で運転する時、その固定子とローターの磁性の相互作用関係を示す模式図である。
【考案を実施するための形態】
【００１９】
（一実施形態）
本考案の一実施形態によるブラシレス直流モーターの回転速度制御装置は、低速運転時に高トルクを出力でき、及び高速運転時に低トルクを出力できるブラシレス直流モーターの回転速度制御装置であって、低速運転時に高トルクを出力し、高速運転時に低トルクを出力する回転速度制御効果を達成でき、非常に広い範囲の回転速度の変化に対応可能である。
【００２０】
本考案の一実施形態によるブラシレス直流モーターの回転速度制御装置を以下に図面に基づいて説明する。
本考案のブラシレス直流モーターの回転速度制御装置の構成模式図である図１に示すように、本考案のブラシレス直流モーターの回転速度制御装置は、一ブラシレス直流モーター２０、少なくとも１個のホールセンサー部品１１、インバーター回路１２、ゲート駆動回路１３、マイクロコントローラー１４を備える。
【００２１】
図１〜５に示すように、ブラシレス直流モーター２０には、２個の固定子２１、１個のローター２２を設置する。
２個の固定子２１は、相同の軸心に沿って配列し設置される。
各固定子２１は、円環状を備える本体２１１を備える。
本体２１１上には、本体２１１中心へと延伸する固定子歯２１２を設置する。
各固定子歯２１２末端には、チップ２１３を設置する。
各固定子歯２１３上には、所定のゲート数のコイル２１４を巻いて設置する。
【００２２】
各固定子２１の隣接するチップ２１３との間隙は、２ｍｍ〜５ｍｍで、間隙が２ｍｍより小さければ、巻き線は困難で、５ｍｍより大きければ、無用の磁力を生じ易く、コストも高い。
しかも、２個の固定子２１のチップ２１３は、相互に交差して取り囲み、円孔状の構造形態を呈する。
【００２３】
ローター２２は、２個の固定子２１の円孔状構造形態内に相対して設置される。
ローター２２は、シャフト２２１上に、複数の永久磁石２２２を取り囲んで設置する。
しかも、全ての永久磁石２２２は、シャフト２２１の外周において、Ｎ極／Ｓ極が交差して配置する方式で配列して設置される。
【００２４】
該各固定子歯２１２の隣接するコイル２１４との相互間の間隔(１８０度/ｍ)の電気角を有する。ｍは、固定子の個数である。
ここで、機械角と電気角の関係は、固定子の個数により決まることは疑いの余地を挟まない。
各固定子歯２１２の隣接するコイルとの相互間の間隔(１８０度/ｍ)の電気角を有する。ｍは、固定子の個数である。
よって、電気角の１個の周期は、機械角の１個の周期と対応しない。
本考案の実施形態では、２個の固定子２１を例とし、各固定子２１の固定子歯２１２は８個で、その電気角の１個の周期は、ローター２２の回転角の１/４に相当する。
この時、電気角が一定角度中の感知電圧であろうとも、機械角の異なる位置で検出された感知電圧に変わる。
もし、機械角が異なるなら、固定子２１の個数の機械式構造に基づき、感知電圧中で変化の状況が生じる。
【００２５】
少なくとも１個のホールセンサー部品１１は、ブラシレス直流モーター２０のローター２２周辺に相対して設置される。
これにより、ローター２２の永久磁石２２２の位置の変化に応じて、対応する電流信号を発生する。
本実施形態中では、ブラシレス直流モーター２０のローター２２周辺には、マイクロコントローラー１４と電気的に連接する３個のホールセンサー部品１１を設置する。
１個のホールセンサー部品は、ローターの回転速度を感知し、１個のホールセンサー部品は、電流交換のタイミングを感知し、１個のホールセンサー部品は、ローターの回転方向を感知して判断する。
【００２６】
インバーター回路１２は、ブラシレス直流モーター２０の２個の固定子２１と直流電源との間に電気的に連接する。
インバーター回路１２は、少なくとも４個の電子部品により構成される。
各電子部品は、電気的に連接し、インバーター回路１２を構成する。
本考案実施形態では、電子部品は８個である。
インバーター回路１２は、直列または並列接続方式を採用し、電気的に連接する。
【００２７】
ゲート駆動回路１３は、マイクロコントローラー１４とインバーター回路１２との電気的連接を構成する。
マイクロコントローラー１４により、外部回転速度制御信号及び少なくとも１個のホールセンサー部品１１の電流信号に連接する。
電子部品は、トランジスターである。
【００２８】
図１、２の実施形態に示すように、インバーター回路１２は、８個のトランジスターＱ１〜Ｑ８を備える。
トランジスターＱ１〜Ｑ４は、１個の固定子のコイル回路に連接する。
トランジスターＱ５〜Ｑ８は、別の１個の固定子のコイル回路に連接する。
ゲート駆動回路１３は、トランジスターＱ１〜Ｑ８にそれぞれ連接する。
これにより、トランジスターＱ１〜Ｑ８のオープン或いは遮断をコントロールする。
【００２９】
しかも、受信した回転速度制御信号、及びホールセンサー部品１１がマイクロコントローラー１４にフィードバックした信号に基づき、ゲート駆動回路１３を制御して、信号をインバーター回路１２へと伝送させる。
インバーター回路１２は、複数の電子部品を同時に起動し、対応する電子部品の電磁場を切換え、Ｎ極／Ｓ極交差を形成する。
これにより、２個の固定子２１のコイル回路を同時に起動して交互に駆動し、ゲート駆動回路１３は、トランジスターＱ１〜Ｑ８のオープン或いは遮断をコントロールする。
これにより、２個の固定子２１のコイル回路に交互に通電する。
【００３０】
或いは、受信した回転速度制御信号、及びホールセンサー部品１１がマイクロコントローラー１４にフィードバックした信号に基づき、ゲート駆動回路１３を制御して、信号をインバーター回路１２へと伝送させる。
インバーター回路１２は、いくつかの電子部品だけを駆動し、任意の固定子に影響を及ぼす電子部品に切り換える。
こうして、任意の固定子２１のコイル回路を駆動し、通電した固定子２１と対応するローター２２とは、相互作用電磁場を形成し、ゲート駆動回路１３は、トランジスターＱ１〜Ｑ８のオープン或いは遮断をコントロールする。
これにより、任意の固定子２１のコイル回路は単相通電する。
【００３１】
原則的には、本考案のブラシレス直流モーターの回転速度制御装置は、使用時には、インバーター回路１２を通して、２個の固定子２１と直流電源との電気的連接を構成する。
しかも、マイクロコントローラー１４及びゲート駆動回路１３の統合作動に対応し、受信した回転速度制御信号、及びホールセンサー部品１１が伝送する信号に基づき、２個の固定子２１のコイル回路(図５参照）を交互に駆動し、或いは任意の固定子２１のコイル回路(図６参照）を駆動する方式で、通電した固定子２１とローター２２に、相互作用電磁場を形成させる。
こうして、ローター２２は同一方向に持続的に回転する。
【００３２】
上述実施形態においては、ホールセンサー部品を利用しモーターのローター位置を感知して検出し、他のセンサーを利用して、モーターのローター位置を感知して検出する。
【００３３】
すなわち、本考案のブラシレス直流モーター装置は、高出力の電源を必要とせず、応用するブラシレス直流モーターを、靜止状態から起動して運転できる。
しかも、設定した回転速度まで運転後、任意の固定子のコイル回路を駆動する方式での運転に切り換えられる。
これにより、ブラシレス直流モーター使用電源の制限を低下させられるばかりか、ブラシレス直流モーターのフルタイム運転過程において節電効果を備える。
【００３４】
さらに、本考案が応用するブラシレス直流モーター２０の実施時には、各固定子２１相同の構造形態の複数のシリコンスチール片を重ねてそれぞれ構成する。
本実施形態中では、各固定子２１には、８個の固定子歯２１２をそれぞれ設置し、ローター２２には、８個の永久磁石２２２を設置する。
しかも、各永久磁石２２２の軸方向の長さは好ましくは、２個の固定子２１のチップ２１３の設置範囲を含む。
【００３５】
また当然、各固定子２１には、偶数個の固定子歯をそれぞれ設置でき、ローター２２には、偶数個の永久磁石２２２を設置できる。
例えば、８個の固定子歯２１２は、４個の永久磁石２２２に対応し、或いは各固定子２１には、偶数個の固定子歯２１２をそれぞれ設置し、ローター２２には、固定子２１に対応する偶数個の永久磁石２２２を設置する。
【００３６】
本考案が応用するブラシレス直流モーターは、具体的実施時には、各固定子の固定子歯の個数及びローターの永久磁石の個数は、実際のサイズい応じて、違った個数を配置して設計することができる。
しかも、適当な駆動回路の対応作動により、各固定子のコイル整流タイミングを効果的にコントロールでき、ブラシレス直流モーター全体の運転効率を簡単に向上させられ、或いは回転速度の変化範囲を拡大することができる。
【００３７】
従来の技術と比較すると、本考案のブラシレス直流モーターの回転速度制御装置は、２個の固定子のコイル回路を交互に駆動する方式を通して、低速運転時に高トルクを出力し、及び任意の固定子のコイル回路を駆動する方式を通して、高速運転時に低トルクを出力できる。
その回転速度制御の方法は、高出力の電源を使用しなくとも、モーターの運転を起動することができる。
【００３８】
しかも、モーターの運転が設定した回転速度に到達後は、任意の固定子のコイル回路を駆動する方式での運転に切り換えられ、これにより、ブラシレス直流モーター使用電源の制限を低下させられるばかりか、ブラシレス直流モーターのフルタイム運転過程において節電効果を備える。
こうして、ブラシレスモーター制御装置は、低速運転時に高トルクを出力し、高速運転時に低トルクを出力する回転速度制御効果を達成でき、非常に広い範囲の回転速度の変化に対応可能である。
【００３９】
上述の実施形態の説明を総合すると、本考案の操作、使用、及び本考案が生じる効果を充分理解することができる。しかし、以上に述べた実施形態は単に本考案の好ましい実施形態であり、これによって本考案の実用新案登録請求の範囲を限定することではない。即ち本考案の実用新案登録請求の範囲及び説明書の内容に基づいて、同等効果を有する簡単な変化及び修飾は、全て、本考案の範囲内に属するものとする。
【符号の説明】
【００４０】
Ｑ１〜Ｑ８  トランジスター
１１  ホールセンサー部品
１２  インバーター回路
１３  ゲート駆動回路
１４  マイクロコントローラー
２０  ブラシレス直流モーター
２１  固定子
２１１  本体
２１２  固定子歯
２１３  チップ
２１４  コイル
２２  ローター
２２１  シャフト
２２２  永久磁石